【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
有機皮膜形成性バインダーを含有する粉体塗料組成物に電子供与体として次式（Ａ）：
【化１】
1998219143.tif 000001
で表される残基を含む少なくとも２種の異なる化合物を配合することからなる上記粉体塗料組成物の荷電性を改善する方法。
【請求項２】
式（Ａ）で表される残基を含む２種の異なる化合物が以下の分類からなる群：ａ）次式（Ｉａ）または（Ｉｂ）：
【化２】
1998219143.tif 000002
〔式中、
Ａ1は水素原子、炭素原子数１ないし８のアルキル基または炭素原子数３ないし６のアルケニル基を表し、
ｂ1は１、２または４を表し、
ｂ1が１であるならば、Ａ2は炭素原子数１ないし９のアルキル基を表し、
ｂ1が２であるならば、Ａ2は炭素原子数１ないし１０のアルキレン基または次式：
【化３】
1998219143.tif 000003
（式中、Ｒ1は炭素原子数１ないし１０のアルキル基または炭素原子数２ないし１０のアルケニル基を表し、Ｒ2は炭素原子数１ないし１０のアルキレン基を表し、そしてＲ3およびＲ4は互いに独立して炭素原子数１ないし４のアルキル基、シクロヘキシル基またはメチルシクロヘキシル基を表す）で表される基を表し、そして
ｂ1が４であるならば、Ａ2は炭素原子数４ないし１０のアルカンテトライル基を表す〕；
【化４】
1998219143.tif 000004
〔式中、
基Ｒは互いに独立して−ＣＯＯ−（炭素原子数１ないし２０のアルキル）基または次式：
【化５】
1998219143.tif 000005
（式中、Ａ1は上で定義したものと同じ意味を表す）で表される基を表す〕
で表される化合物；
ｂ）次式（ＩＩ）：
【化６】
1998219143.tif 000006
〔式中、
Ａ3およびＡ7は互いに独立して水素原子または炭素原子数１ないし１２のアルキル基を表し、
Ａ4、Ａ5およびＡ6は互いに独立して炭素原子数２ないし１０のアルキレン基を表し、そして
Ｔ1、Ｔ2、Ｔ3、Ｔ4、Ｔ5、Ｔ6、Ｔ7およびＴ8は互いに独立して次式（ＩＩＩ）：
【化７】
1998219143.tif 000007
（式中、Ａ8は水素原子、炭素原子数１ないし１２のアルキル基、炭素原子数５ないし１２のシクロアルキル基、炭素原子数１ないし４のアルキル基で置換された炭素原子数５ないし１２のシクロアルキル基、フェニル基または次式（ＩＶ）：
【化８】
1998219143.tif 000008
で表される基を表し、そしてＡ9およびＡ10は互いに独立して、Ａ1に対して上で定義したものと同じ意味を表す）で表される基を表す〕
で表される化合物；
ｃ）次式（Ｖ）：
【化９】
1998219143.tif 000009
（式中、
Ｔ9、Ｔ10およびＴ11は互いに独立して式（ＩＩＩ）で表される基を表す）
で表される化合物；
ｄ）次式（ＶＩ）：
【化１０】
1998219143.tif 000010
（式中、
Ａ11、Ａ13、Ａ14およびＡ15は互いに独立して水素原子、炭素原子数１ないし１２のアルキル基、炭素原子数５ないし１２のシクロアルキル基、炭素原子数１ないし４のアルキル基で置換された炭素原子数５ないし１２のシクロアルキル基、フェニル基または式（ＩＶ）で表される基を表し、
Ａ12は炭素原子数２ないし１０のアルキレン基、炭素原子数５ないし７のシクロアルキレン基または炭素原子数１ないし４のアルキレンジ（炭素原子数５ないし７のシクロアル
キレン）基を表すか、または
基Ａ11、Ａ12およびＡ13はそれらが結合されている窒素原子と一緒になって５ないし１０員の複素環式環を形成するか、または
Ａ14およびＡ15はそれらが結合されている窒素原子と一緒になって５ないし１０員の複素環式環を形成し、
ｂ2は２ないし５０の数を表し、そして
基Ａ11、Ａ13、Ａ14およびＡ15の少なくとも１つは式（ＩＶ）で表される基を表す）
で表される化合物；
ｅ）次式（ＶＩＩ）：
【化１１】
1998219143.tif 000011
（式中、
Ａ16は炭素原子数１ないし１０のアルキル基、炭素原子数５ないし１２のシクロアルキル基、炭素原子数１ないし４のアルキル基で置換された炭素原子数５ないし１２のシクロアルキル基またはフェニル基を表し、
Ａ17は炭素原子数３ないし１０のアルキレン基を表し、
Ａ18はＡ1に対して定義したものと同じ意味を表し、そして
ｂ3は１ないし５０の数を表す）
で表される化合物；
ｆ）次式（ＶＩＩＩ−ａ）：
【化１２】
1998219143.tif 000012
（式中、ｂ4’、ｂ4’’およびｂ4’’’は互いに独立して２ないし１２の数を表す）で表されるポリアミンと塩化シアヌルとの反応により得られる中間生成物を次式（ＶＩＩＩ−ｂ）：
【化１３】
1998219143.tif 000013
（式中、
Ａ19は水素原子、炭素原子数１ないし１２のアルキル基、炭素原子数５ないし１２のシクロアルキル基またはフェニル基を表し、そして
Ａ20はＡ1に対して定義したものと同じ意味を表す）
で表される化合物と反応させることにより得られる生成物；
ｇ）次式（ＩＸ）：
【化１４】
1998219143.tif 000014
（式中、Ａ21、Ａ22、Ａ23、Ａ24およびＡ25は互いに独立して直接結合または炭素原子数１ないし１０のアルキレン基を表し、
Ａ26はＡ1に対して定義したものと同じ意味を表し、そして
ｂ5は１ないし５０の数を表す）
で表される化合物；
ｈ）次式（Ｘ）：
【化１５】
1998219143.tif 000015
〔式中、Ｔ12、Ｔ13およびＴ14は互いに独立して次式（ＸＩ）：
【化１６】
1998219143.tif 000016
（式中、Ｌは式（ＩＩＩ）で表される基を表す）で表される基を表す〕
で表される化合物；
ｉ）次式（ＸＩＩ）：
【化１７】
1998219143.tif 000017
（式中、Ａ27は水素原子またはメチル基を表し、
Ａ28は直接結合または炭素原子数１ないし１０のアルキレン基を表し、そして
ｂ6は２ないし５０の数を表す）
で表される化合物；
ｊ）次式（ＸＩＩＩ）：
【化１８】
1998219143.tif 000018
（式中、Ａ29はＡ1に対して定義したものと同じ意味を表し、そして
Ａ30は水素原子、炭素原子数１ないし１２のアルキル基または炭素原子数１ないし１２のアルコキシ基を表す）
で表される化合物；
ｋ）次式（ＸＩＶ）：
【化１９】
1998219143.tif 000019
（式中、Ａ31は炭素原子数１ないし２４のアルキル基を表し、そして
Ａ32はＡ1に対して定義したものと同じ意味を表す）
で表される化合物；および
ｌ）次式（ＸＶ）：
【化２０】
1998219143.tif 000020
（式中、Ａ33はＡ1に対して定義したものと同じ意味を表し、そして
Ａ34は炭素原子数１ないし２０のアルキル基または炭素原子数２ないし２０のアルケニル基を表す）
で表される化合物、
から選択される請求項１記載の方法。
【請求項３】
式（Ａ）で表される残基を含む２種の異なる化合物が次式（Ｉａ−１），（Ｉａ−２），（Ｉａ−３），（Ｉａ−４），（Ｉａ−５），（Ｉａ−６），（Ｉｂ−１），（Ｉｂ−２），（ＩＩ−１），（ＶＩ−１），（ＶＩ−２），（ＶＩ−３），（ＶＩＩ−１），（ＶＩＩＩ−１），（ＩＸ−１），（ＩＸ−２），（ＸＩＩ−１），（ＸＩＩＩ−１）および（ＸＩＶ−１）：
【化２１】
1998219143.tif 000021
【化２２】
1998219143.tif 000022
【化２３】
1998219143.tif 000023
【化２４】
1998219143.tif 000024
【化２５】
1998219143.tif 000025
【化２６】
1998219143.tif 000026
【化２７】
1998219143.tif 000027
（式中、基Ｒは−ＣＯＯ−Ｃ13Ｈ27および次式：
【化２８】
1998219143.tif 000028
で表される基を１．７：２．３の比率で表す）
【化２９】
1998219143.tif 000029
（式中、基Ｒは−ＣＯＯ−Ｃ13Ｈ27および次式：
【化３０】
1998219143.tif 000030
で表される基を１．７：２．３の比率で表す）
【化３１】
1998219143.tif 000031
（式中、Ｒは次式：
【化３２】
1998219143.tif 000032
で表される基を表す）
【化３３】
1998219143.tif 000033
（式中、ｂ2は２ないし２５の数を表す）
【化３４】
1998219143.tif 000034
（式中、ｂ2は２ないし２５の数を表す）
【化３５】
1998219143.tif 000035
（式中、ｂ2は２ないし２５の数を表す）
【化３６】
1998219143.tif 000036
（式中、ｂ3は２ないし２５の数を表す）
次式：
【化３７】
1998219143.tif 000037
で表されるポリアミンと塩化シアヌルとの反応により得られる中間生成物を次式：
【化３８】
1998219143.tif 000038
で表される化合物と反応させることにより得られる生成物（ＶＩＩＩ−１）
【化３９】
1998219143.tif 000039
（式中、ｂ5は１ないし２０の数を表す）
【化４０】
1998219143.tif 000040
（式中、ｂ5は１ないし２０の数を表す）
【化４１】
1998219143.tif 000041
（式中、ｂ6は２ないし２５の数を表す）
【化４２】
1998219143.tif 000042
【化４３】
1998219143.tif 000043
で表される化合物からなる群から選択される請求項１記載の方法。
【請求項４】
１）有機皮膜形成性バインダー、および
２）電子供与体としての次式（Ａ）：
【化４４】
1998219143.tif 000044
で表される残基を含む少なくとも２種の異なる化合物
を含有する粉体塗料組成物であって、該粉体塗料組成物は少なくとも２００μＣ／ｋｇの電荷／質量比を有することを特徴とする前記粉体塗料組成物。
【請求項５】
１）有機皮膜形成性バインダー、および
２）電子供与体としての次式（Ａ）：
【化４５】
1998219143.tif 000045
で表される残基を含む少なくとも２種の異なる化合物
を含有する粉体塗料組成物を荷電する方法であって、該方法はトライボチャージングガンにおいて前記粉体塗料組成物を少なくとも２００μＣ／ｋｇの電荷／質量比に荷電することからなる、前記方法。
【請求項６】
１）有機皮膜形成性バインダー、および
２）電子供与体としての次式（Ａ）：
【化４６】
1998219143.tif 000046
で表される残基を含む少なくとも２種の異なる化合物
を含有する粉体塗料組成物を金属基材に摩擦電気で適用する方法。
【請求項７】
１）有機皮膜形成性バインダー、および
２）請求項３記載の式（Ｉａ−４），（Ｉｂ−１），（Ｉｂ−２），（ＩＩ−１），（ＶＩ−１），（ＶＩ−２），（ＶＩ−３），（ＶＩＩ−１），（ＶＩＩＩ−１），（ＩＸ−１），（ＩＸ−２）および（ＸＩＩ−１）で表される化合物からなる群から選択される少なくとも２種の異なる化合物、
を含有する粉体塗料組成物。